(57)【要約】【課題】電池を用いて駆動される場合の駆動時間を十分に延長させることができる無線ＬＡＮ装置を提供する。【解決手段】無線ＬＡＮ親機１は、電池４１又はＡＣアダプタ４２を用いて駆動され、通信信号を他の無線ＬＡＮ装置と送受信する。無線ＬＡＮ親機１は、通信信号を増幅するＰＡ１１，ＬＮＡ２１と、通信信号が増幅器を経由する増幅経路Ｒ１ａ，Ｒ２ａ又は通信信号が増幅器を迂回する迂回経路Ｒ１ｂ，Ｒ２ｂの何れかを選択するセレクタＳＬ１，ＳＬ２，ＳＬ３，ＳＬ４と、無線ＬＡＮ親機１が電池を用いて駆動される電池駆動状態と、無線ＬＡＮ親機１がＡＣアダプタ４２を用いて駆動されるＡＣ駆動状態とを検出するＡＣ／電池検出回路４３と、ＡＣ駆動状態が検出された場合には増幅経路Ｒ１ａ，Ｒ１ｂを選択させ、電池駆動状態が検出された場合には迂回経路Ｒ１ｂ，Ｒ２ｂを選択させるＣＰＵ５０とを備える。【選択図】図２
2010273290.tif 000002
【特許請求の範囲】
【請求項１】
電池又は外部電源を用いて駆動され、通信信号を他の無線ＬＡＮ装置と送受信する無線ＬＡＮ装置であって、
前記通信信号を増幅する増幅器と、
前記通信信号が前記増幅器を経由する第１信号経路、又は、前記通信信号が前記増幅器を迂回する第２信号経路の何れかを選択する経路選択部と、
前記無線ＬＡＮ装置が前記電池を用いて駆動される電池駆動状態と、前記無線ＬＡＮ装置が前記外部電源を用いて駆動される外部電源駆動状態とを検出する駆動状態検出部と、
前記駆動状態検出部によって前記外部電源駆動状態が検出された場合には前記経路選択部に前記第１信号経路を選択させ、前記駆動状態検出部によって前記電池駆動状態が検出された場合には前記経路選択部に前記第２信号経路を選択させる制御部と
を備える無線ＬＡＮ装置。
【請求項２】
前記増幅器への電力供給を停止するか否かを切り替える切り替え部をさらに備え、
前記駆動状態検出部によって前記電池駆動状態が検出された場合、前記制御部は、前記切り替え部に対し、前記増幅器への電力供給を停止させる請求項１に記載の無線ＬＡＮ装置。
【請求項３】
前記制御部は、第１動作モード又は第２動作モードの何れかで動作し、
前記第１動作モードは、前記制御部が前記経路選択部及び前記切り替え部を適応的に制御する動作モードであり、
前記第２動作モードは、前記第１信号経路を選択させた状態で前記経路選択部を固定し、且つ、前記増幅器への電力を供給させた状態で前記切り替え部を固定する動作モードである請求項２に記載の無線ＬＡＮ装置。
【請求項４】
前記第１動作モード又は前記第２動作モードの何れかを選択する操作をユーザから受け付ける操作受付部をさらに備え、
前記制御部は、前記第１動作モードを選択する操作を前記操作受付部が受け付けた場合には前記第１動作モードで動作し、前記第２動作モードを選択する操作を前記操作受付部が受け付けた場合には前記第２動作モードで動作する請求項３に記載の無線ＬＡＮ装置。
【請求項５】
前記増幅器は、無線周波数帯の前記通信信号を増幅する電力増幅器又は低雑音増幅器のうち少なくとも一方である請求項１〜請求項４の何れか一項に記載の無線ＬＡＮ装置。
【発明の詳細な説明】
【技術分野】
【０００１】
本発明は、通信信号を他の無線ＬＡＮ装置と送受信する無線ＬＡＮ装置に関する。
【背景技術】
【０００２】
従来より、無線通信を利用して通信信号の送受信を行うＬＡＮ（Local Area Network）システム、すなわち無線ＬＡＮシステムが広く普及している。このような無線ＬＡＮシステムにおいて、無線ＬＡＮ子機の接続先となる無線ＬＡＮ親機（無線ＬＡＮ装置）は、据置型のものが多く、ＡＣ電源等の外部電源を用いて駆動される。
【０００３】
近年では、無線ＬＡＮシステムの利便性を向上させるために、電池を用いて駆動可能な可搬型の無線ＬＡＮ親機が提供されている。電池を用いて駆動される無線ＬＡＮ装置においては、消費電力を削減し、駆動時間をできる限り延長させることが好ましい。
【０００４】
無線ＬＡＮ装置の消費電力を削減するための手法としては、次のようなものが提案されている（特許文献１参照）。特許文献１に記載の手法では、無線ＬＡＮ装置（無線ＬＡＮカード等の無線ＬＡＮ子機）が、無線ＬＡＮ親機との通信状態を監視し、通信状態が良好、例えば誤り率が低い状態である場合には、通信信号が増幅器を迂回するように信号経路を設定し、通信状態が良好でない場合には、通信信号が増幅器を経由するように信号経路を設定する。
【先行技術文献】
【特許文献】
【０００５】
【特許文献１】特許第３８７５２４４号公報
【発明の概要】
【発明が解決しようとする課題】
【０００６】
しかしながら、特許文献１に記載の手法においては、無線ＬＡＮ装置が電池を用いて駆動されているか否かに関わらず、通信信号の信号経路を通信状態に基づいて制御している。
【０００７】
したがって、無線ＬＡＮ装置が電池を用いて駆動されている場合であっても、通信信号が増幅器を経由することがあり、増幅器が大きな電力を消費するため、無線ＬＡＮ装置の駆動時間を十分に延長させることができない問題があった。
【０００８】
そこで、本発明は、電池を用いて駆動される場合の駆動時間を十分に延長させることができる無線ＬＡＮ装置を提供することを目的とする。
【課題を解決するための手段】
【０００９】
上述した課題を解決するために、本発明は以下のような特徴を有している。まず、本発明の第１の特徴は、電池（電池４１）又は外部電源（ＡＣアダプタ４２）を用いて駆動され、通信信号を他の無線ＬＡＮ装置（無線ＬＡＮ子機２，３）と送受信する無線ＬＡＮ装置（無線ＬＡＮ親機１）であって、前記通信信号を増幅する増幅器（ＰＡ１１，ＬＮＡ２１）と、前記通信信号が前記増幅器を経由する第１信号経路（増幅経路Ｒ１ａ，Ｒ２ａ）、又は、前記通信信号が前記増幅器を迂回する第２信号経路（迂回経路Ｒ１ｂ，Ｒ２ｂ）の何れかを選択する経路選択部（セレクタＳＬ１，ＳＬ２，ＳＬ３，ＳＬ４）と、前記無線ＬＡＮ装置が前記電池を用いて駆動される電池駆動状態と、前記無線ＬＡＮ装置が前記外部電源を用いて駆動される外部電源駆動状態とを検出する駆動状態検出部（ＡＣ／電池検出回路４３）と、前記駆動状態検出部によって前記外部電源駆動状態が検出された場合には前記経路選択部に前記第１信号経路を選択させ、前記駆動状態検出部によって前記電池駆動状態が検出された場合には前記経路選択部に前記第２信号経路を選択させる制御部（ＣＰＵ５０）とを備えることを要旨とする。
【００１０】
電池を用いて駆動可能な無線ＬＡＮ装置（すなわち、可搬型の無線ＬＡＮ装置）は、電池駆動状態（持ち運び使用時等）において、無線通信相手となる他の無線ＬＡＮ装置が近くに存在することが一般的であり、増幅器を使用しなくても十分に通信が可能である。
【００１１】
したがって、本発明の特徴に係る無線ＬＡＮ装置では、電池駆動状態が検出された場合には経路選択部に第２信号経路を選択させることで、他の無線ＬＡＮ装置との通信を可能としつつ、消費電力の削減を図ることができるため、駆動時間を十分に延長させることができる。
【００１２】
また、本発明の特徴に係る無線ＬＡＮ装置では、外部電源駆動状態が検出された場合には経路選択部に第１信号経路を選択させることで、据置型の無線ＬＡＮ装置と同様の通信距離を確保できる。
【００１３】
本発明の第２の特徴は、本発明の第１の特徴に係り、前記増幅器への電力供給を停止するか否かを切り替える切り替え部（スイッチＳＷ１，ＳＷ２）をさらに備え、前記駆動状態検出部によって前記電池駆動状態が検出された場合、前記制御部は、前記切り替え部に対し、前記増幅器への電力供給を停止させることを要旨とする。
【００１４】
本発明の第３の特徴は、本発明の第２の特徴に係り、前記制御部は、第１動作モード（通常モード）又は第２動作モード（オン固定モード）の何れかで動作し、前記第１動作モードは、前記制御部が前記経路選択部及び前記切り替え部を適応的に制御する動作モードであり、前記第２動作モードは、前記第１信号経路を選択させた状態で前記経路選択部を固定し、且つ、前記増幅器への電力を供給させた状態で前記切り替え部を固定する動作モードであることを要旨とする。
【００１５】
本発明の第４の特徴は、本発明の第３の特徴に係り、前記第１動作モード又は前記第２動作モードの何れかを選択する操作をユーザから受け付ける操作受付部（手動スイッチ８０）をさらに備え、前記制御部は、前記第１動作モードを選択する操作を前記操作受付部が受け付けた場合には前記第１動作モードで動作し、前記第２動作モードを選択する操作を前記操作受付部が受け付けた場合には前記第２動作モードで動作することを要旨とする。
【００１６】
本発明の第５の特徴は、本発明の第１〜第４の何れかの特徴に係り、前記増幅器は、無線周波数帯の前記通信信号を増幅する電力増幅器（ＰＡ１１）又は低雑音増幅器（ＬＮＡ２１）のうち少なくとも一方であることを要旨とする。
【発明の効果】
【００１７】
本発明によれば、電池を用いて駆動される場合の駆動時間を十分に延長させることができる無線ＬＡＮ装置を提供できる。
【図面の簡単な説明】
【００１８】
【図１】本発明の実施形態に係る無線ＬＡＮ親機を含む無線ＬＡＮシステムの全体概略構成図である。
【図２】本発明の実施形態に係る無線ＬＡＮ親機の構成を示すブロック図である。
【図３】本発明の実施形態に係るＡＣ／電池検出回路の構成例を示す回路図である。
【図４】本発明の実施形態に係る制御フローを示すフローチャートである。
【発明を実施するための形態】
【００１９】
次に、図面を参照して、本発明の無線ＬＡＮ装置の実施形態である無線ＬＡＮ親機について説明する。具体的には、（１）無線ＬＡＮシステムの全体概略構成、（２）無線ＬＡＮ親機の構成、（３）制御フロー、（４）実施形態の効果、（５）その他の実施形態について説明する。
【００２０】
以下の実施形態における図面の記載において、同一又は類似の部分には同一又は類似の符号を付している。
【００２１】
（１）無線ＬＡＮシステムの全体概略構成
図１は、本発明の無線ＬＡＮ装置の実施形態である無線ＬＡＮ親機１を含む無線ＬＡＮシステム１００の全体概略構成図である。無線ＬＡＮシステム１００では、例えばＩＥＥＥ８０２．１１ａ／ｂ／ｇ／ｎ等の無線ＬＡＮ規格に従った無線通信が行われる。
【００２２】
無線ＬＡＮ親機１には、無線ＬＡＮ子機２及び無線ＬＡＮ子機３が無線接続されている。図１の例では２台の無線ＬＡＮ子機が無線ＬＡＮ親機１に無線接続されているが、１台であってもよく、３台以上であってもよい。
【００２３】
無線ＬＡＮ親機１は、例えば、可搬型の無線ＬＡＮアクセスポイント又は可搬型の無線ＬＡＮルータ等である。無線ＬＡＮ子機２及び無線ＬＡＮ子機３は、例えば、無線ＬＡＮカード、ＵＳＢ無線ＬＡＮアダプタ、無線ＬＡＮ搭載型ゲーム機、無線ＬＡＮ搭載型ノートＰＣ、無線ＬＡＮ搭載型携帯電話機等である。
【００２４】
無線ＬＡＮ親機１は、ＷＡＮ（Wide Area Network）４に接続されている。無線ＬＡＮ親機１とＷＡＮ４との接続形態は、有線接続であっても無線接続であってもよい。本実施形態では、無線ＬＡＮ親機１は、ＰＨＳ（Personal Handyphone System）等を利用してＷＡＮ４に無線接続可能である。
【００２５】
無線ＬＡＮ親機１は、電池４１又はＡＣアダプタ４２（外部電源）を用いて駆動可能に構成されている（図２参照）。すなわち、無線ＬＡＮ親機１は、家庭や会社等の屋内で使用する時には、ＡＣアダプタ４２を用いて駆動され、据置型の無線ＬＡＮ親機と同様にして機能する。一方、外出先等に持ち運んで使用される時には、ＡＣアダプタ４２による駆動に代えて、電池４１を用いて駆動される。
【００２６】
無線ＬＡＮ親機１が外出先等で使用される場合、例えば、無線ＬＡＮ親機１を介して無線ＬＡＮ搭載型ゲーム機（無線ＬＡＮ子機）でオンラインゲーム等を行う場合には、無線ＬＡＮ親機１は、無線ＬＡＮ搭載型ゲーム機を手にしたユーザの近くに置かれて使用される。
【００２７】
このような場合、通信距離を確保するために無線ＬＡＮ親機１が消費する電力は無駄になる。このため、本実施形態では、無線ＬＡＮ親機１が外出先等で使用される状態（すなわち、無線ＬＡＮ親機１が電池４１を用いて駆動される状態）では、通信距離を確保するための機能を停止させることで、無駄な消費電力を削減し、駆動時間を延長させている。
【００２８】
（２）無線ＬＡＮ親機の構成
次に、無線ＬＡＮ親機１の構成について、（２．１）無線ＬＡＮ親機の概略構成、（２．２）ＰＡ部及びＬＮＡ部の構成、（２．３）ＡＣ／電池検出回路の構成の順に説明する。
【００２９】
（２．１）無線ＬＡＮ親機の概略構成
図２は、無線ＬＡＮ親機１の構成を示すブロック図である。
【００３０】
図２に示すように、無線ＬＡＮ親機１は、アンテナＡＮＴを介して、無線周波数（ＲＦ）帯の通信信号を無線ＬＡＮ子機２，３と送受信する。
【００３１】
無線ＬＡＮ親機１は、ＲＦ帯の送信信号を増幅するＰＡ１１（電力増幅器）を含むＰＡ部１０と、ＲＦ帯の受信信号を増幅するＬＮＡ２１（低雑音増幅器）を含むＬＮＡ部２０とを有する。
【００３２】
ＰＡ部１０及びＬＮＡ部２０は、送受信切替器５を介してアンテナＡＮＴに接続されている。また、ＰＡ部１０及びＬＮＡ部２０は、ＲＦ帯の通信信号を処理するＲＦ部３１に接続されている。ＲＦ部３１は、通信信号のアップコンバート／ダウンコンバートに用いられるミキサ、雑音成分を除去するためのフィルタ等を有する。
【００３３】
ＲＦ部３１とＣＰＵ５０との間には、ベースバンド（ＢＢ）帯の通信信号を処理するＭＡＣ／ＢＢ部３２が接続されている。ＭＡＣ／ＢＢ部３２は、通信信号の変調／復調や符号化／復号等を行う。
【００３４】
ＣＰＵ５０は、無線ＬＡＮ親機１が具備する各種の機能を制御する制御部を構成する。メモリ部６０は、ＣＰＵ５０における制御等に用いられる各種の情報やプログラムを記憶している。メモリ部６０は、ＣＰＵ５０によって実行されるプログラム等を記憶するＲＯＭ６１と、ＣＰＵ５０の作業領域として機能するＲＡＭ６２とを有する。ＣＰＵ５０には、無線ＬＡＮ親機１の動作状態をユーザに通知するためのＬＥＤ９０が接続されている。
【００３５】
また、ＣＰＵ５０には、無線ＬＡＮを除くネットワークとのインタフェースとして機能するインタフェース部７０が接続されている。本実施形態では、インタフェース部７０は、ＷＡＮ４に接続されるＷＡＮインタフェース７１と、有線ＬＡＮに接続される有線ＬＡＮインタフェース７２とを有する。
【００３６】
ＣＰＵ５０には、ＡＣ／電池検出回路４３、及び手動スイッチ８０（操作受付部）が接続されている。ＡＣ／電池検出回路４３は、無線ＬＡＮ親機１が電池４１を用いて駆動される電池駆動状態と、無線ＬＡＮ親機１がＡＣアダプタ４２を用いて駆動されるＡＣ駆動状態（外部電源駆動状態）とを検出する。本実施形態においてＡＣ／電池検出回路４３は、駆動状態検出部を構成する。
【００３７】
手動スイッチ８０は、無線ＬＡＮ親機１の動作モードを切り替えるために用いられる。本実施形態では、動作モードとして、通常モード（第１動作モード）及びオン固定モード（第２動作モード）が用意されている。手動スイッチ８０は、通常モード又はオン固定モードの何れかを選択する操作をユーザから受け付け、ＣＰＵ５０は、当該操作の内容に従って通常モード又はオン固定モードの何れかで動作する。通常モード及びオン固定モードの詳細については後述する。
【００３８】
（２．２）ＰＡ部及びＬＮＡ部の構成
次に、ＰＡ部１０及びＬＮＡ部２０の構成について説明する。
【００３９】
ＰＡ部１０には、増幅経路Ｒ１ａ（第１信号経路）及び迂回経路Ｒ１ｂ（第２信号経路）の２つの信号経路が設けられており、増幅経路Ｒ１ａ上にはＰＡ１１が接続されている。増幅経路Ｒ１ａは、送信信号がＰＡ１１を経由する信号経路である。迂回経路Ｒ１ｂは、送信信号がＰＡ１１を迂回する信号経路である。
【００４０】
増幅経路Ｒ１ａ及び迂回経路Ｒ１ｂの両端には、セレクタＳＬ１及びセレクタＳＬ２が接続されている。セレクタＳＬ１及びセレクタＳＬ２は、ＣＰＵ５０の制御下で、増幅経路Ｒ１ａ又は迂回経路Ｒ１ｂの何れかを選択する。図２の例では、セレクタＳＬ１及びセレクタＳＬ２は、増幅経路Ｒ１ａを選択している。本実施形態においてセレクタＳＬ１及びセレクタＳＬ２は、増幅経路Ｒ１ａ又は迂回経路Ｒ１ｂの何れかを選択する経路選択部を構成する。
【００４１】
ＰＡ部１０は、ＣＰＵ５０の制御下で、ＰＡ１１への電力供給を停止するか否かを切り替えるスイッチＳＷ１（切り替え部）を有する。
【００４２】
セレクタＳＬ１、セレクタＳＬ２、及びスイッチＳＷ１は、ＣＰＵ５０からの制御信号ＣＳに従って動作する。例えば、スイッチＳＷ１は、制御信号ＣＳがローレベル時にＰＡ１１への電力供給を停止し、制御信号ＣＳがハイレベル時にＰＡ１１へ電力を供給するように構成されている。セレクタＳＬ１及びセレクタＳＬ２は、制御信号ＣＳがローレベル時に迂回経路Ｒ１ｂを選択し、制御信号ＣＳがハイレベル時に増幅経路Ｒ１ａを選択するように構成されている。
【００４３】
ＰＡ部１０と同様に、ＬＮＡ部２０には、増幅経路Ｒ２ａ（第１信号経路）及び迂回経路Ｒ２ｂ（第２信号経路）の２つの信号経路が設けられており、増幅経路Ｒ２ａ上にはＬＮＡ２１が接続されている。増幅経路Ｒ２ａは、受信信号がＬＮＡ２１を経由する信号経路である。迂回経路Ｒ２ｂは、受信信号がＬＮＡ２１を迂回する信号経路である。
【００４４】
増幅経路Ｒ２ａ及び迂回経路Ｒ２ｂの両端には、セレクタＳＬ３及びセレクタＳＬ４が接続されている。セレクタＳＬ３及びセレクタＳＬ４は、ＣＰＵ５０の制御下で、増幅経路Ｒ２ａ又は迂回経路Ｒ２ｂの何れかを選択する。図２の例では、セレクタＳＬ３及びセレクタＳＬ４は、増幅経路Ｒ２ａを選択している。本実施形態においてセレクタＳＬ３及びセレクタＳＬ４は、増幅経路Ｒ２ａ又は迂回経路Ｒ２ｂの何れかを選択する経路選択部を構成する。
【００４５】
ＬＮＡ部２０は、ＣＰＵ５０の制御下で、ＬＮＡ２１への電力供給を停止するか否かを切り替えるスイッチＳＷ２（切り替え部）を有する。
【００４６】
セレクタＳＬ３、セレクタＳＬ４、及びスイッチＳＷ２は、ＣＰＵ５０からの制御信号ＣＳに従って動作する。例えば、スイッチＳＷ２は、制御信号ＣＳがローレベル時にＬＮＡ２１への電力供給を停止し、制御信号ＣＳがハイレベル時にＬＮＡ２１へ電力を供給するように構成されている。セレクタＳＬ３及びセレクタＳＬ４は、制御信号ＣＳがローレベル時に迂回経路Ｒ２ｂを選択し、制御信号ＣＳがハイレベル時に増幅経路Ｒ２ａを選択するように構成されている。
【００４７】
（２．３）ＡＣ／電池検出回路の構成
図３は、ＡＣ／電池検出回路４３の構成例を示す回路図である。
【００４８】
図３に示すように、ＡＣ／電池検出回路４３は、コンデンサＣ１，Ｃ２，Ｃ３と、コイルＬ１，Ｌ２と、ダイオードＤ１，Ｄ２と、抵抗Ｒ１，Ｒ２，Ｒ３と、トランジスタＱ１とを有する。
【００４９】
ＡＣアダプタ入力に電圧が発生している場合、コンデンサＣ１，Ｃ２とコイルＬ１，Ｌ２とからなる整流回路から出力される電圧が、抵抗Ｒ１，Ｒ２からなる分圧回路で分圧され、トランジスタＱ１をターン・オンさせる。トランジスタＱ１がオン状態のときには、トランジスタＱ１のコレクタ端子からローレベルの検出信号ＤＴが出力される。
【００５０】
一方で、ＡＣアダプタ入力に電圧が発生していない場合、トランジスタＱ１がターン・オフし、トランジスタＱ１のコレクタ端子からハイレベルの検出信号ＤＴが出力される。
【００５１】
検出信号ＤＴは、ＣＰＵ５０に入力される。その結果、ＣＰＵ５０は、ローレベルの検出信号ＤＴが入力されたときにはＡＣ駆動状態であることが分かり、ハイレベルの検出信号ＤＴが入力されたときには電池駆動状態であることが分かる。
【００５２】
（３）制御フロー
図４は、ＣＰＵ５０によって実行される制御フローを示すフローチャートである。なお、図４の制御フローは、動作初期時にのみ実行されてもよく、所定の時間間隔で繰り返し実行されてもよい。あるいは、動作初期時にのみ実行される場合や所定の時間間隔で繰り返し実行される場合に限らず、外部トリガに応じて図４の制御フローを実行してもよい。
【００５３】
ステップＳ１において、ＣＰＵ５０は、動作モードがオン固定モードであるか通常モードであるかを判定する。動作モードがオン固定モードである場合には処理がステップＳ４に進み、通常モードである場合には処理がステップＳ２に進む。
【００５４】
ここで、オン固定モードとは、ＰＡ１１及びＬＮＡ２１を強制的に使用する動作モードである。オン固定モードにおいては、ＣＰＵ５０は、制御信号ＣＳをハイレベル固定にする。これにより、増幅経路Ｒ１ａを選択させた状態でセレクタＳＬ１，ＳＬ２を固定し、且つ、ＰＡ１１への電力を供給させた状態でスイッチＳＷ１を固定する。また、増幅経路Ｒ２ａを選択させた状態でセレクタＳＬ３，ＳＬ４を固定し、且つ、ＬＮＡ２１への電力を供給させた状態でスイッチＳＷ２を固定する。
【００５５】
オン固定モードが通信距離を優先する動作モードであるのに対し、通常モードは、駆動時間の延長を優先する動作モードである。通常モードにおいては、ＣＰＵ５０は、制御信号ＣＳを用いて、セレクタＳＬ１，ＳＬ２，ＳＬ３，ＳＬ４及びスイッチＳＷ１，ＳＷ２を適応的に制御する。
【００５６】
ステップＳ２において、ＣＰＵ５０は、ＡＣ／電池検出回路４３からの検出信号ＤＴに基づいて、電池駆動状態であるかＡＣ駆動状態であるかを判定する。電池駆動状態である場合には処理がステップＳ３に進み、ＡＣ駆動状態である場合には処理がステップＳ４に進む。
【００５７】
ステップＳ３において、ＣＰＵ５０は、制御信号ＣＳをローレベルにする。これにより、セレクタＳＬ１，ＳＬ２に対して迂回経路Ｒ１ｂを選択させ、且つ、スイッチＳＷ１に対してＰＡ１１への電力供給を停止させる。また、セレクタＳＬ３，ＳＬ４に対して迂回経路Ｒ２ｂを選択させ、且つ、スイッチＳＷ２に対してＬＮＡ２１への電力供給を停止させる。
【００５８】
ステップＳ４において、ＣＰＵ５０は、制御信号ＣＳをハイレベルにする。これにより、セレクタＳＬ１，ＳＬ２に対して増幅経路Ｒ１ａを選択させ、且つ、スイッチＳＷ１に対してＰＡ１１への電力を供給させる。また、セレクタＳＬ３，ＳＬ４に対して増幅経路Ｒ２ａを選択させ、且つ、スイッチＳＷ２に対してＬＮＡ２１への電力を供給させる。
【００５９】
なお、ステップＳ１及びステップＳ２の順序は逆でもよい。また、ＣＰＵ５０は、図４の制御フローとは別に、手動スイッチ８０に対するユーザからの操作があった場合には、当該操作の内容に従って動作モードを即座に切り替えることが好ましい。
【００６０】
（４）実施形態の効果
以上説明したように、ＣＰＵ５０は、電池駆動状態において、セレクタＳＬ１，ＳＬ２，ＳＬ３，ＳＬ４に迂回経路Ｒ１ｂ，Ｒ２ｂを選択させることで、消費電力を削減できる。さらに、電池駆動状態において、ＣＰＵ５０は、ＰＡ１１及びＬＮＡ２１への電力供給を停止させるため、消費電力を大幅に削減でき、駆動時間を十分に延長させることができる。
【００６１】
また、ＣＰＵ５０は、ＡＣ駆動状態において、セレクタＳＬ１，ＳＬ２，ＳＬ３，ＳＬ４に増幅経路Ｒ１ａ，Ｒ２ａを選択させることで、据置型と同様の十分な通信距離を確保できる。
【００６２】
本実施形態では、ＣＰＵ５０は、オン固定モードを選択する操作を手動スイッチ８０が受け付けた場合にはオン固定モードで動作する。したがって、電池駆動状態、すなわち、無線ＬＡＮ親機１が外出先等に持ち運んで使用される場合においても、十分な通信距離を確保する必要が生じたときは、ユーザの意志に応じてＰＡ１１及びＬＮＡ２１を使用することができる。
【００６３】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
例えば、上述した実施形態では、ＩＥＥＥ８０２．１１ａ／ｂ／ｇ／ｎに従った無線ＬＡＮシステム１００を例に説明したが、ＩＥＥＥ８０２．１１ａ／ｂ／ｇ／ｎに限らず、他の無線ＬＡＮ規格が使用可能である。また、本発明の無線ＬＡＮ装置の実施形態として無線ＬＡＮ親機を説明したが、無線ＬＡＮ子機に本発明を適用してもよい。
【００６５】
上述した実施形態では、ＰＡ部１０及びＬＮＡ部２０それぞれに迂回経路を設けていたが、無線ＬＡＮ親機１において最も消費電力が大きいのはＰＡ１１であるため、ＰＡ部１０にのみ迂回経路を設ける構成でもよい。さらに、ＲＦ部３１の内部に増幅器がある場合や、中間周波数（IF）帯の通信信号を増幅する増幅器がある場合には、これらの増幅器に対して迂回経路を設けてもよい。
【００６６】
上述した実施形態では、GPIO（General Purpose Input/Output）等を利用して手動スイッチ８０がＣＰＵ５０に接続される構成を説明したが、手動スイッチ８０がＡＣ／電池検出回路４３に接続される構成でもよい。例えば、手動スイッチ８０を用いて、ＡＣ／電池検出回路４３が出力する検出信号ＤＴを強制的にローレベルに固定することで、上述した実施形態と同様の動作モード制御を行うことができる。
【００６７】
また、手動スイッチ８０を操作受付部として使用したが、手動スイッチ８０に限らず、ユーザからの操作が受付可能なものであればよく、例えば、押ボタンやタッチパネル等を操作受付部として使用してもよい。さらに、動作モード制御を間接的に行う構成でもよい。具体的には、Ｗｅｂ設定により動作モード制御を可能とすることで、動作モード制御用の操作受付部を省略できる。
【００６８】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６９】
１…無線ＬＡＮ親機、２，３…無線ＬＡＮ子機、４…ＷＡＮ、５…送受信切替器、１０…ＰＡ部、１１…ＰＡ、２０…ＬＮＡ部、２１…ＬＮＡ、３１…ＲＦ部、３２…ＭＡＣ／ＢＢ部、４１…電池、４２…ＡＣアダプタ、４３…ＡＣ／電池検出回路、５０…ＣＰＵ、６０…メモリ部、６１…ＲＯＭ、６２…ＲＡＭ、７０…インタフェース部、７１…ＷＡＮインタフェース、７２…有線ＬＡＮインタフェース、８０…手動スイッチ、９０…ＬＥＤ、１００…無線ＬＡＮシステム、ＡＮＴ…アンテナ、Ｃ１，Ｃ２，Ｃ３…コンデンサ、Ｄ１，Ｄ２…ダイオード、Ｌ１，Ｌ２…コイル、Ｑ１…トランジスタ、Ｒ１，Ｒ２，Ｒ３…抵抗、Ｒ１ａ，Ｒ２ａ…増幅経路、Ｒ１ｂ，Ｒ２ｂ…迂回経路、ＳＬ１，ＳＬ２，ＳＬ３，ＳＬ４…セレクタ、ＳＷ１，ＳＷ２…スイッチ
【図１】
2010273290.tif 000003
【図２】
2010273290.tif 000004
【図３】
2010273290.tif 000005
【図４】
2010273290.tif 000006